(57)【特許請求の範囲】
【請求項１】
ＯＬＴ（Optical Line Terminal）および当該ＯＬＴに接続されたＰＯＮ（Passive Optical Network）ならびに当該ＰＯＮを介して前記ＯＬＴに接続され前記ＯＬＴに従属する複数個のＯＮＵ（Optical Network Unit）からなるＯＮＵグループを有するＰＯＮシステムであって、
前記ＯＬＴは、前記ＯＮＵグループへブロードキャストフレームを送信する場合において、
前記ＯＮＵグループに含まれる全てのＯＮＵがＦＥＣ（Forward Error Correction）処理機能を有し且つＦＥＣ処理を必要とする第一ＯＮＵであるときには前記ＯＮＵグループへブロードキャストフレームをＦＥＣ処理して一括送信し、
前記ＯＮＵグループに前記第一ＯＮＵが全く含まれないときには前記ＯＮＵグループへブロードキャストフレームをＦＥＣ処理せずに一括送信し、
前記ＯＮＵグループに前記第一ＯＮＵが部分的に含まれているときには前記ＯＮＵグループへブロードキャストフレームをＦＥＣ処理して一括送信するとともに前記ＯＮＵグループから前記第一ＯＮＵを除いてなる第二ＯＮＵへ前記ブロードキャストフレームと同一の内容を有するユニキャストフレームを送信する
ＰＯＮシステム。
【請求項２】
ＯＬＴおよび当該ＯＬＴに接続されたＰＯＮならびに当該ＰＯＮを介して前記ＯＬＴに接続され前記ＯＬＴに従属する複数個のＯＮＵからなるＯＮＵグループを有するＰＯＮシステムであって、
前記ＯＮＵグループは、複数個のＯＮＵからなるマルチキャストグループを含み、
前記ＯＬＴは、前記マルチキャストグループへマルチキャストフレームを送信する場合において、
前記マルチキャストグループに含まれる全てのＯＮＵがＦＥＣ処理機能を有し且つＦＥＣ処理を必要とする第一ＯＮＵであるときには前記マルチキャストグループへマルチキャストフレームをＦＥＣ処理して一括送信し、
前記マルチキャストグループに前記第一ＯＮＵが全く含まれないときには前記マルチキャストグループへマルチキャストフレームをＦＥＣ処理せずに一括送信し、
前記マルチキャストグループに前記第一ＯＮＵが部分的に含まれているときには前記マルチキャストグループへマルチキャストフレームをＦＥＣ処理して一括送信するとともに前記マルチキャストグループから前記第一ＯＮＵを除いてなる第二ＯＮＵへ前記マルチキャストフレームと同一の内容を有するユニキャストフレームを送信する
ＰＯＮシステム。
【請求項３】
請求項１又は請求項２に記載のＰＯＮシステムであって、
前記ＯＬＴは、所定のＯＮＵへユニキャストフレームを送信する場合において、
前記所定のＯＮＵが前記第一ＯＮＵであるときには前記所定のＯＮＵへユニキャストフレームをＦＥＣ処理して送信し、
前記所定のＯＮＵが前記第一ＯＮＵでないときには前記所定のＯＮＵへユニキャストフレームをＦＥＣ処理せずに送信する
ＰＯＮシステム。
【請求項４】
請求項１乃至請求項３のいずれかに記載のＰＯＮシステムであって、
前記ＯＬＴは、
前記ＯＮＵグループを構成する複数個のＯＮＵそれぞれがＦＥＣ処理機能を有するかどうかに関する情報および前記ＯＮＵグループを構成する複数個のＯＮＵそれぞれがＦＥＣ処理を必要としているかどうかに関する情報を保持するＯＮＵ情報管理部と、
前記ＯＮＵ情報管理部が保持する前記情報に基づきＦＥＣ処理を行うかどうかをフレーム毎に決定するＦＥＣ制御部と
を有するＰＯＮシステム。
【請求項５】
ＯＬＴおよび当該ＯＬＴに接続されたＰＯＮならびに当該ＰＯＮを介して前記ＯＬＴに接続され前記ＯＬＴに従属する複数個のＯＮＵからなるＯＮＵグループを有するＰＯＮシステムの通信方法であって、
前記ＯＮＵグループに含まれる全てのＯＮＵがＦＥＣ処理機能を有し且つＦＥＣ処理を必要とする第一ＯＮＵであるときには前記ＯＬＴが前記ＯＮＵグループへブロードキャストフレームをＦＥＣ処理して一括送信する工程と、
前記ＯＮＵグループに前記第一ＯＮＵが全く含まれないときには前記ＯＬＴが前記ＯＮＵグループへブロードキャストフレームをＦＥＣ処理せずに一括送信する工程と、
前記ＯＮＵグループに前記第一ＯＮＵが部分的に含まれているときには前記ＯＬＴが前記ＯＮＵグループへブロードキャストフレームをＦＥＣ処理して一括送信するとともに前記ＯＮＵグループから前記第一ＯＮＵを除いてなる第二ＯＮＵへ前記ブロードキャストフレームと同一の内容を有するユニキャストフレームを送信する工程と、
を備えるＰＯＮシステムの通信方法。
【請求項６】
ＯＬＴおよび当該ＯＬＴに接続されたＰＯＮならびに当該ＰＯＮを介して前記ＯＬＴに接続され前記ＯＬＴに従属する複数個のＯＮＵからなるＯＮＵグループを有するＰＯＮシステムの通信方法であって、
前記ＯＮＵグループは、複数個のＯＮＵからなるマルチキャストグループを含み、
前記マルチキャストグループに含まれる全てのＯＮＵがＦＥＣ処理機能を有し且つＦＥＣ処理を必要とする第一ＯＮＵであるときには前記ＯＬＴが前記マルチキャストグループへマルチキャストフレームをＦＥＣ処理して一括送信する工程と、
前記マルチキャストグループに前記第一ＯＮＵが全く含まれないときには前記ＯＬＴが前記マルチキャストグループへマルチキャストフレームをＦＥＣ処理せずに一括送信する工程と、
前記マルチキャストグループに前記第一ＯＮＵが部分的に含まれているときには前記ＯＬＴが前記マルチキャストグループへマルチキャストフレームをＦＥＣ処理して一括送信するとともに前記マルチキャストグループから前記第一ＯＮＵを除いてなる第二ＯＮＵへ前記マルチキャストフレームと同一の内容を有するユニキャストフレームを送信する工程と、
を備えるＰＯＮシステムの通信方法。
【請求項７】
請求項５又は請求項６に記載のＰＯＮシステムの通信方法であって、
所定のＯＮＵが前記第一ＯＮＵであるときには前記ＯＬＴが前記所定のＯＮＵへユニキャストフレームをＦＥＣ処理して送信する工程と、
前記所定のＯＮＵが前記第一ＯＮＵでないときには前記ＯＬＴが前記所定のＯＮＵへユニキャストフレームをＦＥＣ処理せずに送信する工程と、
をさらに備えるＰＯＮシステムの通信方法。
【発明の詳細な説明】
【技術分野】
【０００１】
本発明は、ＰＯＮシステムおよびその通信方法に関し、特に、ＧＥ型ＰＯＮシステムにおいてＦＥＣ処理を用いて伝送品質を向上させるとともに伝送帯域を効果的に利用するための技術に関する。
【背景技術】
【０００２】
従来のＰＯＮシステムおよびその通信方法においては、１個のＯＬＴに、複数個のＯＮＵがＰＯＮを介して従属して接続され、ＯＬＴからのフレームは、従属する全てのＯＮＵへ送信される（下りフレーム）。例えば、ＯＬＴが、従属する１個のＯＮＵ宛のフレームすなわちユニキャストフレームを送る場合においても、このフレームは、この１個のＯＮＵに対してだけではなく、その他のＯＮＵを含む全てのＯＮＵへ（同報）送信される。フレームには宛先情報が含まれているので、各ＯＮＵは、この宛先情報を参照し、自身宛のフレームについては受信処理を行い自身宛ではないフレームについては廃棄する。また、ＯＬＴからのフレームが、全てのＯＮＵ宛のフレームすなわちブロードキャストフレームであった場合には、全てのＯＮＵがこのフレームの受信処理を行う。また、ＯＬＴからのフレームが、所定のグループ宛のフレームすなわちマルチキャストフレームであった場合には、このグループに属するＯＮＵはこのフレームの受信処理を行い、それ以外のＯＮＵはこのフレームを廃棄する。
【０００３】
また、従来のＰＯＮシステムおよびその通信方法においては、ＦＥＣ処理を用いてフレームを復元することにより伝送品質を向上させている。ＦＥＣ処理は、処理対象となるフレームにＦＥＣコードと呼ばれる誤り訂正コードを予め付加して送信することにより、通信異常等でフレームの一部に不具合が発生した場合においても受信側において復元を可能とするものである。ＦＥＣ処理を用いたＰＯＮシステムおよびその通信方法の例は、例えば特許文献１等に開示されている。
【０００４】
【特許文献１】特開２００４−３６４０５９号公報
【発明の開示】
【発明が解決しようとする課題】
【０００５】
上述したように、ＰＯＮシステムおよびその通信方法においては、ＯＬＴから、従属する全てのＯＮＵへ同一のフレームが送信される。従って、フレームが、複数個のＯＮＵへ一括送信される、ブロードキャストフレームやマルチキャストフレームである場合には、このフレームの受信処理を行う複数個のＯＮＵにおいて、ＦＥＣ処理機能を有するものとＦＥＣ処理機能を有さないものとが混在したり、あるいはＦＥＣ処理を必要とするものとＦＥＣ処理を必要としないものとが混在したりすると、ＦＥＣ処理をどのように行うかが問題となる。
【０００６】
ＩＥＥＥ８０２．３ａｈにおいては、ＰＯＮシステムへのＦＥＣ適用について規定されているが、１個のＯＬＴに従属する複数個のＯＮＵにおいてＦＥＣ処理機能を有するものとＦＥＣ処理機能を有さないものとが混在した場合やＦＥＣ処理を必要とするものとＦＥＣ処理を必要としないものとが混在した場合の制御については規定されていない。また、特許文献１には、ＦＥＣ処理を必要とするＯＮＵとＦＥＣ処理を必要としないＯＮＵとが混在した場合におけるＦＥＣ処理が記載されているが、フレームがブロードキャストフレームやマルチキャストフレームである場合についての言及はなされていない。
【０００７】
本発明はこれらの問題点を解決するためになされたものであり、ブロードキャストフレームやマルチキャストフレームにおいて適切にＦＥＣ処理を行うことが可能なＰＯＮシステムおよびその通信方法を提供することを目的とするものである。
【課題を解決するための手段】
【０００８】
本発明に係るＰＯＮシステムは、ＯＬＴおよびＯＬＴに接続されたＰＯＮならびにＰＯＮを介してＯＬＴに接続されＯＬＴに従属する複数個のＯＮＵからなるＯＮＵグループを有するＰＯＮシステムであって、ＯＬＴは、ＯＮＵグループへブロードキャストフレームを送信する場合において、ＯＮＵグループに含まれる全てのＯＮＵがＦＥＣ処理機能を有し且つＦＥＣ処理を必要とする第一ＯＮＵであるときにはＯＮＵグループへブロードキャストフレームをＦＥＣ処理して一括送信し、ＯＮＵグループに第一ＯＮＵが全く含まれないときにはＯＮＵグループへブロードキャストフレームをＦＥＣ処理せずに一括送信し、ＯＮＵグループに第一ＯＮＵが部分的に含まれているときにはＯＮＵグループへブロードキャストフレームをＦＥＣ処理して一括送信するとともにＯＮＵグループから第一ＯＮＵを除いてなる第二ＯＮＵへブロードキャストフレームと同一の内容を有するユニキャストフレームを送信する。
【発明の効果】
【０００９】
本発明に係るＰＯＮシステムは、ＯＬＴおよびＯＬＴに接続されたＰＯＮならびにＰＯＮを介してＯＬＴに接続されＯＬＴに従属する複数個のＯＮＵからなるＯＮＵグループを有するＰＯＮシステムであって、ＯＬＴは、ＯＮＵグループへブロードキャストフレームを送信する場合において、ＯＮＵグループに含まれる全てのＯＮＵがＦＥＣ処理機能を有し且つＦＥＣ処理を必要とする第一ＯＮＵであるときにはＯＮＵグループへブロードキャストフレームをＦＥＣ処理して一括送信し、ＯＮＵグループに第一ＯＮＵが全く含まれないときにはＯＮＵグループへブロードキャストフレームをＦＥＣ処理せずに一括送信し、ＯＮＵグループに第一ＯＮＵが部分的に含まれているときにはＯＮＵグループへブロードキャストフレームをＦＥＣ処理して一括送信するとともにＯＮＵグループから第一ＯＮＵを除いてなる第二ＯＮＵへブロードキャストフレームと同一の内容を有するユニキャストフレームを送信する。従って、ＦＥＣ処理を行わないブロードキャストフレームの一括送信のみを行う場合に比べて、伝送品質を高めることができる。また、ブロードキャストフレームの一括送信を行わずユニキャストフレームの送信のみを行う場合に比べて、伝送帯域を効果的に利用することができる。
【発明を実施するための最良の形態】
【００１０】
＜実施の形態１＞
図１は、実施の形態１に係るＧＥ（Gigabit Ethernet（登録商標））型ＰＯＮ（Passive Optical Network）システム１００の構成を示す模式図である。図１に示されるように、ＰＯＮシステム１００は、１個のＯＬＴ（Optical Line Terminal）１０とＯＬＴ１０に従属する８個のＯＮＵ（Optical Network Unit）２１〜２８とを光ファイバー等からなるＰＯＮ３０を介して接続した構成からなる。ＯＬＴ１０は、通信事業者側に設置され、ＯＮＵ２１〜２８は、各加入者側に設置されている。ＯＬＴ１０からＯＮＵ２１〜２８へ向けた下りフレームは、ＰＯＮ３０の光分岐器３１において分岐される。ＯＮＵ２１〜２８からＯＬＴ１０へ向けた上りフレームは、ＰＯＮ３０の光分岐器３１において各ＴＳ(Time Slot)へ時分割多重される。
【００１１】
図１において、ＯＮＵ２１，２５は、ＦＥＣ（Forward Error Correction）処理機能を有し且つＦＥＣ処理が必要であるとする。ＯＮＵ２２，２６は、ＦＥＣ処理機能を有するがＦＥＣ処理は必要ではないとする。ＯＮＵ２３，２７は、ＦＥＣ処理機能を有さないがＦＥＣ処理は必要であるとする。ＯＮＵ２４，２８は、ＦＥＣ処理機能を有さず且つＦＥＣ処理が必要でないとする。また、ＯＮＵ２１〜２４は、同一のマルチキャストフレームが一括送信されるマルチキャストグループ２０を構成する。以下では、マルチキャストグループ２０に対して、ＯＬＴ１０に従属する全てのＯＮＵ２１〜２８からなるグループをＯＮＵグループと呼び、マルチキャストグループ２０およびＯＮＵグループを総称して単にグループと呼ぶ。なお、各ＯＮＵにおいてＦＥＣ処理が必要であるかどうかは、ＯＮＵ−ＯＬＴ間の距離や通信回線の品質等に基づき定められる。
【００１２】
図２には、ＯＮＵ２１〜２８それぞれがＦＥＣ処理機能を有するかどうかに関する情報およびＯＮＵ２１〜２８それぞれがＦＥＣ処理を必要とするかどうかに関する情報を表すテーブル４０が示されている。以下では、ＯＮＵ２１，２５のようにＦＥＣ処理機能を有し且つＦＥＣ処理が必要であるものを第一ＯＮＵと呼び、それ以外のもの（ＦＥＣ処理機能を有さないかＦＥＣ処理機能が必要でないものすなわちＯＮＵ２２〜２４，２６〜２８）を第二ＯＮＵと呼ぶ。また、ＯＮＵが自身宛（または自身が属するグループ宛）のフレームを正常に（すなわち廃棄することなく）受信する処理のことを、受信処理と呼ぶ。
【００１３】
図３は、図１に示されるＯＬＴ１０の機能を示すブロック図である。図３において、フレーム識別部１１には、ユーザフレーム５１と制御フレーム生成部１２で生成された制御フレーム５２とが下りフレームとして入力される。フレーム識別部１１は、下りフレームから宛先情報（論理識別子やＭＡＣアドレスなど）を読み出しＯＮＵ情報管理部１３へ伝達する。ＯＮＵ情報管理部１３は、ＯＮＵ２１〜２８それぞれがＦＥＣ処理機能を有するかどうかに関する情報およびＯＮＵ２１〜２８それぞれがＦＥＣ処理を必要としているかどうかに関する情報を、テーブル４０等の形式で予め保持しており、これらの情報に基づきデータの検索を行う。ＦＥＣ制御部１４は、ＯＮＵ情報管理部１３からの検索結果に基づき、ＦＥＣ処理を行うかどうかをフレーム毎に決定する。速度調整部１５は、ＦＥＣ制御部１４における決定に応じて、ＦＥＣ処理用にＦＥＣコードを挿入するための速度調整制御信号を生成する。多重部１６は、速度調整部１５で生成された速度調整信号を参照しながら、制御フレームおよびユーザフレームの多重化を行う。多重部１６で多重化されたフレームは、ＴＳ挿入部１７においてＴＳ挿入を行われた後に、ＦＥＣ符号化部１８へ入力される。ＦＥＣ符号化部１８は、入力されたフレームに対して、多重化部１６からの情報に応じてＦＥＣ符号化を行った後に、出力する。
【００１４】
次に、図４のフローチャートを用いて、図１のＰＯＮシステム１００の通信方法を説明する。
【００１５】
ステップＳ１において、ＯＬＴ１０は、送信すべきフレームにおいて、その宛先情報を参照することにより、そのフレーム種別を識別する。送信すべきフレームが、ユニキャストフレームである場合にはステップＳ２へ進み、ブロードキャストフレームまたはマルチキャストフレームである場合にはステップＳ５へ進む。
【００１６】
ステップＳ２において、ＯＬＴ１０は、上記の宛先情報（ユニキャストフレームであるので送信先は１個のＯＮＵ）を参照するとともに、ＯＮＵ情報管理部１３において検索を行い、送信先となるＯＮＵがＦＥＣ処理機能を有し且つＦＥＣ処理を必要とするかどうか（すなわち第一ＯＮＵであるかどうか）を判断する。
【００１７】
送信先となるＯＮＵが第一ＯＮＵでない場合（すなわち送信先がＯＮＵ２２〜２４，２６〜２８のような第二ＯＮＵである場合）には、ステップＳ３へ進みＦＥＣ処理を行わない。送信先となるＯＮＵが第一ＯＮＵである場合（すなわち送信先がＯＮＵ２１，２５である場合）には、ステップＳ４へ進みＦＥＣ処理を行う。これにより、ＦＥＣ処理を適切に行い、伝送品質を高めるとともに伝送帯域を効果的に利用することが可能となる。
【００１８】
ステップＳ５において、ＯＬＴ１０は、上記の宛先情報（ブロードキャストフレームにおいてはＯＮＵグループに属するＯＮＵ（すなわちＯＮＵ２１〜２８）宛である旨が設定されており、マルチキャストフレームにおいてはマルチキャストグループ２０に属するＯＮＵ（すなわちＯＮＵ２１〜２４）宛である旨が設定されている）を参照するとともに、ＯＮＵ情報管理部１３において検索を行い、送信先となるグループ（送信先グループ）に、ＦＥＣ処理機能を有し且つＦＥＣ処理を必要とするＯＮＵ（第一ＯＮＵ）が存在するかどうかを判断する。ブロードキャストにおいては、送信先グループはＯＮＵグループであるので、ＯＮＵ２１〜２８の中に第一ＯＮＵが存在する場合にはステップＳ６へ進み、それ以外の場合にはステップＳ７へ進む。また、マルチキャストにおいては、送信先グループはマルチキャストグループ２０であるので、ＯＮＵ２１〜２４の中に第一ＯＮＵが存在する場合にはステップＳ６へ進み、それ以外の場合にはステップＳ７へ進む（図１においては、ＯＮＵ２１，２５は第一ＯＮＵであるので、ステップＳ６へ進む）。
【００１９】
ステップＳ６において、ＯＬＴ１０は、上記の宛先情報を参照するとともに、ＯＮＵ情報管理部１３において検索を行い、送信先グループの全てのＯＮＵがＦＥＣ処理機能を有し且つＦＥＣ処理を必要とするかどうか（すなわち第一ＯＮＵであるかどうか）を判断する。ブロードキャストにおいては、送信先グループはＯＮＵグループであるので、ＯＮＵ２１〜２８の全てが第一ＯＮＵである場合にはステップＳ８へ進み、それ以外の場合にはステップＳ９へ進む。また、マルチキャストにおいては、送信先グループはマルチキャストグループ２０であるので、ＯＮＵ２１〜２４の全てが第一ＯＮＵである場合にはステップＳ８へ進み、それ以外の場合にはステップＳ９へ進む。（図１においては、ＯＮＵ２２〜２４，２６〜２８は第二ＯＮＵであるので、ブロードキャストおよびマルチキャストのいずれにおいても、ステップＳ９へ進む）。
【００２０】
ステップＳ７においては、送信先グループの中に第一ＯＮＵが存在しないので、ＦＥＣ処理は全く行われない。
【００２１】
ステップＳ８においては、送信先グループに含まれる全てのＯＮＵが第一ＯＮＵであるので、ＦＥＣ処理のみが行われる。
【００２２】
ステップＳ９においては、送信先グループに第一ＯＮＵが部分的に含まれるので、ＦＥＣ処理が言わば部分的に行われる。すなわち、ブロードキャストフレームまたはマルチキャストフレームに対してＦＥＣ処理を行う（一括送信用）とともに、このブロードキャストフレームまたはマルチキャストフレームと同一内容を有するユニキャストフレームを生成（マルチプルコピー）する（第二ＯＮＵへの送信用）。以下では、この場合のＦＥＣ処理について詳細に説明する。
【００２３】
ブロードキャストにおいては、ＯＮＵグループに属するＯＮＵ２１〜２８の中で、ＯＮＵ２２〜２４，２６〜２８は、第二ＯＮＵである。従って、ブロードキャストフレームに対してＦＥＣ処理を行い一括送信する（ＯＮＵ２１，２５が受信処理を行う）とともに、このブロードキャストフレームと同一内容を有するユニキャストフレームを生成し、ＦＥＣ処理を行わずにＯＮＵ２２〜２４，２６〜２８それぞれへ送信する（ＯＮＵ２２〜２４，２６〜２８が受信処理を行う）。これにより、ＯＮＵグループに属するＯＮＵ２１〜２８全てにおいて受信処理が行われる。
【００２４】
マルチキャストにおいては、マルチキャストグループ２０に属するＯＮＵ２１〜２４の中で、ＯＮＵ２２〜２４は、第二ＯＮＵである。従って、マルチキャストフレームに対してＦＥＣ処理を行い一括送信する（ＯＮＵ２１が受信処理を行う）とともに、このマルチキャストフレームと同一内容を有するユニキャストフレームを生成し、ＦＥＣ処理を行わずにＯＮＵ２２〜２４それぞれへ送信する（ＯＮＵ２２〜２４が受信処理を行う）。これにより、マルチキャストグループ２０に属するＯＮＵ２１〜２４全てにおいて受信処理が行われる。
【００２５】
このように、本実施の形態に係るＰＯＮシステム１００およびその通信方法は、送信先グループに第一ＯＮＵと第二ＯＮＵとが混在する場合には、ブロードキャストフレームまたはマルチキャストフレームをＦＥＣ処理して一括送信し第一ＯＮＵに受信処理させるとともに、上記のブロードキャストフレームまたはマルチキャストフレームと同一の内容を有するユニキャストフレームをＦＥＣ処理せずに送信し各第二ＯＮＵに受信処理させる。
【００２６】
従って、ＦＥＣ処理を行わないブロードキャストフレームまたはマルチキャストフレームの一括送信のみを行う場合に比べて、伝送品質を高めることができる。
【００２７】
また、ブロードキャストフレームまたはマルチキャストフレームの一括送信を行わずユニキャストフレーム（マルチプルコピー）の送信のみを行う場合に比べて、伝送帯域を効果的に利用することができる。
【図面の簡単な説明】
【００２８】
【図１】実施の形態１に係るＰＯＮシステムの構成を示す模式図である。
【図２】実施の形態１に係るＯＮＵに関する情報を表すテーブルを示す図である。
【図３】実施の形態１に係るＯＬＴの機能を示すブロック図である。
【図４】実施の形態１に係るＰＯＮシステムの通信方法を示すフローチャートである。
【符号の説明】
【００２９】
１  ＯＬＴ、１１  フレーム識別部、１２  制御フレーム生成部、１３  ＯＮＵ情報管理部、１４  ＦＥＣ制御部、１５  速度調整部、１６  多重部、１７  ＴＳ挿入部、１８  ＦＥＣ符号化部、２０  マルチキャストグループ、２１〜２８  ＯＮＵ、３０  ＰＯＮ、３１  光分岐器、４０  テーブル、５１  ユーザフレーム、５２  制御フレーム、１００  ＰＯＮシステム。
【図１】
0004611171.tif 000002
【図２】
0004611171.tif 000003
【図３】
0004611171.tif 000004
【図４】
0004611171.tif 000005